(57)【要約】      （修正有）【課題】新設、既設の屋根等の外装面に施工される多種の縦葺き（縦張り）外装構造に適用でき、外装材に形成される突状部に、上方からの作業にて容易に取り付けることができ、太陽電池モジュール等の外設部材を取り付けることができる取付部材、取付構造、及びその施工法の提供。【解決手段】外装材に形成される凸状部５１に固定する取付部材１を、凸状部５１の上方及び左右の何れか一方に配する上方部材２と、回動自在に枢着されて凸状部５１の他方に配される下方部材３と、下方部材３に取り付けられて上方部材２を貫通する取付ボルト１Ｂと、取付ボルト１Ｂの先端に螺合される締着ナット１Ｃとからなり、上方部材２と下方部材３とで凸状部５１を左右から挟むように配設した状態で、取付ボルト１Ｂに締着ナット１Ｃを締め付け、取付部材１を一体化することで、上方部材２及び下方部材３を凸状部５１に係止させ、取付ボルト１Ｂを上方部材２上に起立させる。【選択図】図１
2014190103.tif 000002
【特許請求の範囲】
【請求項１】
外装面を構成する外装材にて形成される凸状部に固定する取付部材であって、
凸状部の上方及び左右の何れか一方に配する上方部材と、該上方部材と回動自在に枢着されて凸状部の他方に配される下方部材と、該下方部材に取り付けられて前記上方部材を貫通する取付ボルトと、該取付ボルトの先端に螺合される締着ナットと、からなり、
回動自在に枢着した上方部材と下方部材で凸状部を左右から挟むように配設した状態で、取付ボルトに締着ナットを取り付けて締め付けることにより、取付部材を一体化することで、上方部材及び下方部材を凸状部に係止させ、取付ボルトを上方部材上に起立させることを特徴とする取付部材。
【請求項２】
上方部材には、頂部に支持面が形成されていることを特徴とする請求項１に記載の取付部材。
【請求項３】
下方部材には、取付ボルトの頭部を配する収容部が設けられていることを特徴とする請求項１又は２に記載の取付部材。
【請求項４】
外装面を構成する外装材にて形成される凸状部に、請求項１〜３の何れか一項に記載の取付部材を固定し、該取付部材に直接的に外設部材を、或いは支持材を介して間接的に外設部材を取り付けたことを特徴とする外設部材の取付構造。
【請求項５】
外装面を構成する外装材にて形成される凸状部に、前記構成の取付部材を固定し、該取付部材に外設部材を取り付ける外装構造の施工法であって、
回動自在に枢着した上方部材と下方部材で凸状部を左右から挟むように配設する第１の工程と、
取付ボルトに締着ナットを取り付けて締め付けることにより、取付部材を一体化することで、上方部材及び下方部材を凸状部に係止させ、取付ボルトを上方部材上に起立させる第２の工程と、
固定した取付部材の取付ボルトの先端に、直接的に外設部材を、或いは支持材を介して間接的に外設部材を取り付け、固定した取付ボルトにナットを取り付けて固定する第３の工程と、を含むことを特徴とする外設部材の施工法。
【発明の詳細な説明】
【技術分野】
【０００１】
本発明は、新設、既設を問わず建築物の屋根等の外装面に施工される多種の縦葺き（縦張り）外装構造に適用でき、外装面を構成する外装材にて形成される突状部に容易に、特に上方からの作業にて容易に取り付けることができ、太陽電池モジュール等の各種外設部材を取り付けることができる取付部材、外設部材の取付構造、及びその施工法に関する。
【背景技術】
【０００２】
既存屋根上に新たに外装構造を構築する場合、既存屋根に取付具や支持材などを配して新たな基礎を構築し、その基礎に新設外装構造を設置する構造が採用され、取付具や支持材は、ボルトによる締着によって既存屋根上に組み付けられている（例えば特許文献１〜３など）。
特許文献１には、係合段部Y4に係合させる左右ピース材（脚部材１）で、内部にボルト2aの頭部を収容する構造の中駒部材２を共締めしている折板屋根用取付け金具が提案されている。
特許文献２には、左右一対の支持半体１，１を接合具Ｂにて一体化しているが、上向きボルト４は、縦片（接合部13）及びフランジ（上部支持片17）に形成した穴（ボルト支持部15）に保持した外囲体用取付具が提案されている。
特許文献３には、左右一対の掴み具22L，22Rにてハゼ部２を、ボルト23にて挟持するが、ナット24bが固着された板状体（挟持材24）に、スリット24a，24aが設けられ、該スリット24a，24aに前記掴み具22L，22Rを挿入した取付金具が提案されている。
【先行技術文献】
【特許文献】
【０００３】
【特許文献１】特開２００９−５２２７８号公報
【特許文献２】特開２００７−２９７８６０号公報
【特許文献３】特開２０１１−１２７３３０号公報
【発明の概要】
【発明が解決しようとする課題】
【０００４】
しかしながら、前記特許文献１の構造では、中駒部材２にもボルト2aの貫通孔を形成する必要があり、しかも中駒部材２にボルト2aを保持する作用が無いことは、ボルト2aの頭部が中空空間の上端に張り付いている、その図９〜１２の断面図より明らかであった。
また、前記特許文献２には、縦片及びフランジに穴を形成して上向きボルト４を保持しているが、そもそも金属板等の穴だけでは保持能力が低く、この場合、上向きボルト４に応力が作用した場合に穴が拡開し易いという問題があった。
さらに、前記特許文献３には、ナット24bが固着された板状材が安定に固定されていないので、該ナット24bに取り付ける、太陽電池パネルPの外周フレームPfを押さえる部材（パネル上面保持板26）を固定する固定ボルト21も、安定に取り付けられるとは言えないものであった。
【０００５】
そこで、本発明は、新設、既設を問わず建築物の屋根等の外装面に施工される多種の縦葺き（縦張り）外装構造に適用でき、外装面を構成する外装材にて形成される突状部に容易に、特に上方からの作業にて容易に取り付けることができ、太陽電池モジュール等の各種外設部材を取り付けることができる取付部材、外設部材の取付構造、及びその施工法を提案することを目的とする。
【課題を解決するための手段】
【０００６】
本発明は、上記に鑑み提案されたものであって、外装面を構成する外装材にて形成される凸状部に固定する取付部材であって、凸状部の上方及び左右の何れか一方に配する上方部材と、該上方部材と回動自在に枢着されて凸状部の他方に配される下方部材と、該下方部材に取り付けられて前記上方部材を貫通する取付ボルトと、該取付ボルトの先端に螺合される締着ナットと、からなり、回動自在に枢着した上方部材と下方部材で凸状部を左右から挟むように配設した状態で、取付ボルトに締着ナットを取り付けて締め付けることにより、取付部材を一体化することで、上方部材及び下方部材を凸状部に係止させ、取付ボルトを上方部材上に起立させることを特徴とする取付部材に関するものである。
【０００７】
また、本発明は、前記取付部材において、上方部材には、頂部に支持面が形成されていることを特徴とする取付部材をも提案する。
【０００８】
また、本発明は、前記取付部材において、下方部材には、取付ボルトの頭部を配する収容部が設けられていることを特徴とする取付部材をも提案する。
【０００９】
さらに、本発明は、外装面を構成する外装材にて形成される凸状部に、前記構成の取付部材を固定し、該取付部材に直接的に外設部材を、或いは支持材を介して間接的に外設部材を取り付けたことを特徴とする外設部材の取付構造をも提案するものである。
【００１０】
さらに、本発明は、外装面を構成する外装材にて形成される凸状部に、前記構成の取付部材を固定し、該取付部材に外設部材を取り付ける外装構造の施工法であって、回動自在に枢着した上方部材と下方部材で凸状部を挟むように配設する第１の工程と、取付ボルトに締着ナットを取り付けて締め付けることにより、取付部材を一体化することで、上方部材及び下方部材を凸状部に係止させ、取付ボルトを上方部材上に起立させる第２の工程と、固定した取付部材の縦ボルトの先端に、直接的に外設部材を、或いは支持材を介して間接的に外設部材を取り付け、固定した取付ボルトにナットを取り付けて固定する第３の工程と、を含むことを特徴とする外設部材の施工法をも提案するものである。
【発明の効果】
【００１１】
本発明の取付部材は、回動自在に枢着した上方部材と下方部材を、下方部材に取り付けた取付ボルトにて連結してなり、上方部材を貫通させて締着ナットを締め付けることにより、持出部材を取り付けて一体化させることで、上方部材及び下方部材を凸状部に係止させ、取付ボルトを上方部材上に起立させることができる。
また、本発明の取付部材を構成する上方部材及び下方部材は、それぞれ簡易な形状であるため、極めて実用的価値が高いものである。
さらに、この取付部材は、起立する取付ボルトに対して締着ボルトを締め付けることにより、一体化及び取付が実施されるので、従来の持出架台の取付作業のように略水平状に配されたボルトナットを締め付ける作業を必要としないため、作業が極めて容易である。
【００１２】
また、上方部材には、頂部に支持面が形成されている場合には、その後の外設部材や太陽電池パネルを支持させる際に安定に配設することができる。
【００１３】
また、下方部材には、取付ボルトの頭部を配する収容部が設けられている場合には、容易に且つ安定に取付ボルトを下方部材に配設することができ、凸状部への取付作業においても取付ボルトが下方部材から脱離する事故を防ぐことができる。
【００１４】
本発明の前記取付部材を用いた外設部材の取付構造は、各種の外設部材を、前記取付部材の上方部材の頂部又は該頂部に取り付けた支持材に取り付けた構成であり、外装面を構成する外装材にて形成される凸状部に対し、太陽電池モジュール等を簡易な構造にて取り付けることができる。しかも、上方部材の頂部には、取付ボルトを起立状に取り付けているので、該取付ボルトに押さえ材等を配してナットで締め付け固定して太陽電池モジュール等を容易に取り付けることができる。
【００１５】
さらに、前記構成の取付部材を用いた外設部材の取付構造は、持出架台と保持材とを一体化に組み合わせつつ、持出架台の取付部を外装面の突状部に沿わせる第１の工程も、左右の受けフランジが連続するように一体化させることで、前記保持材の係止部を受けフランジの裏面に係止することにより、保持部内の取付ボルトを受けフランジ上に起立させる第２の工程も、固定した取付部材の受けフランジに、直接的に外設部材を、或いは支持材を介して間接的に外設部材を取り付ける第３の工程も、それぞれに容易に実施できるので、全体的に施工性に優れ、実用的価値が高いものである。
【図面の簡単な説明】
【００１６】
【図１】（ａ）本発明の第１実施例の取付部材の組み付け状態を示す正面図、（ｂ）それを構成する上方部材の正面図、（ｃ）それを構成する下方部材の正面図、（ｄ）それを構成する取付ボルトの正面図、（ｅ）それを構成する締着ボルトの正面図、（ｆ）上方部材と下方部材を枢着した状態で回動させて凸状部へ配設する状態を示す正面図、（ｇ）この取付部材を取り付けた外装構造を示す正面図である。
【図２】（ａ）第１実施例の取付部材を用いた別の外装構造を示す正面図、（ｂ）第１実施例の取付部材を用いた更に別の外装構造を示す正面図である。
【図３】（ａ）第２実施例の取付部材の組み付け状態を示す正面図、（ｂ）この取付部材を取り付けた外装構造を示す正面図、（ｃ）その側面図、（ｄ）それに用いた押さえ部材を示す側面図である。
【発明を実施するための形態】
【００１７】
本発明の取付部材は、外装面を構成する外装材にて形成される凸状部に固定するものであって、凸状部の上方及び左右の何れか一方に配する上方部材（Ａ）と、該上方部材と回動自在に枢着されて凸状部の他方に配される下方部材（Ｂ）と、該下方部材に取り付けられて前記上方部材を貫通する取付ボルト（Ｃ）と、該取付ボルトの先端に螺合される締着ナット（Ｄ）とからなる。
そして、回動自在に枢着した上方部材と下方部材で凸状部を左右から挟むように配設した状態で、取付ボルトに締着ナットを取り付けて締め付けることにより、取付部材を一体化することで、上方部材及び下方部材を凸状部に係止させ、取付ボルトを上方部材上に起立させることを特徴とする。
【００１８】
（Ａ）上方部材
前記上方部材は、前述のように凸状部の上方及び左右の何れか一方に配する部材であるが、詳しくは、この上方部材は、凸状部を覆う部分と、一方側の基端に当接する部分とを有する構成であり、（Ｂ）下部部材との間には空間が形成され、該空間に凸状部を位置させるように配設する。
また、この上方部材は、前述のように（Ｂ）下方部材とは回動自在に枢着されている構成であるが、詳しくは、上方部材か下方部材の何れかに凸状の枢支部が設けられ、他方には凹状の枢支受部が設けられて回動自在に枢着（嵌合）されている構成である。
さらに、この上方部材は、前述のように（Ｃ）取付ボルトが貫通するが、詳しくは、取付ボルトが貫通するための孔を備える構成である。この貫通孔が取付ボルトの径と略同一の場合には、貫通孔に対して対して取付ボルトが正対する方向しか許容されないため、上方部材と下方部材との回動も制御されてしまうため、横長に貫通孔を形成することが望ましい。
なお、この上方部材は、頂部に支持面が形成されていることが望ましく、この支持面に外設部材や太陽電池パネルを安定に支持させることができる。
【００１９】
（Ｂ）下方部材
前記下方部材は、前述のように凸状部の左右の他方に配する部材であり、一方に配する上方部材と同様に凸状部の他方側の基端に当接する部分を有する構成である。
また、この下方部材には、前述のように（Ｃ）取付ボルトが取り付けられるが、例えば通孔を形成して裏面側から取付ボルトを突出させてもよいし、取付ボルトの頭部を配する溝状又は凹状の収容部を設けるようにしてもよく、この場合には容易に且つ安定に取付ボルトを下方部材に配設することができ、凸状部への取付作業においても取付ボルトが下方部材から脱離する事故を防ぐことができる。
【００２０】
（Ｃ）取付ボルト
この取付ボルトは、この取付部材における「取付部」を形成するものであるが、前述のように（Ｂ）下方部材に取り付けられ、（Ａ）上方部材を貫通するものであるから、上方部材と下方部材との連結部材としても作用する。この取付ボルト自体は、通常の六角ボルト等が利用される。
【００２１】
（Ｄ）締着ナット
この締着ナットは、上方から前記（Ｃ）取付ボルトに締め付けることにより、（Ａ）上方部材と（Ｂ）下方部材を一体的に固定すると共に、各部材に設けた当接部を凸状部の基端の左右に配置させるので、上方部材及び下方部材を凸状部に係止させ、取付ボルトを上方部材上に起立させる作用を果たす。この締着ナット自体は、通常の六角ナット等が利用される。
【００２２】
これらの取付部材を構成する（Ａ）〜（Ｄ）の部材のうち、回動自在に枢着されている（Ａ）上方部材及び（Ｂ）下方部材は、特にその形状を限定するものではないが、前述のように凸状部を位置させる空間を形成するものであって、後述する図示実施例のように断面略筺状に形成されることが望ましい。
断面を略筺状に形成するためには、例えば一方を左、他方を右とすると、回動軸（枢支部及び枢支受部）は上面右端に位置させ、上方部材は上面と左側面と底面左側を形成し、下方部材は右側面と底面右側を形成すればよい。なお、このような構成は、後述する図示実施例の第１実施例に相当する最も簡易な構成を示したものであり、前述の構成並びに作用、効果を損なわない限り、どのような構成を採用してもよい。
例えば前記取付ボルトの収容部は、第１実施例のように下方部材の底面右側に設けてもよいし、第２実施例にように内側へ傾斜状に起立する傾斜片部に設けてもよい。
【００２３】
本発明の取付部材の取り付け対象である凸状部は、外装面を構成する外装材にて形成されるものであって、山状部分と谷状部分とが連続する構成の外装面であれば、山状部分を指し、新築でも既設でもよい。また、後述する図示実施例に示すように山状部分である突状部の頂部に、外装材の側縁を略垂直状に立ち上げてカシメて凸部を形成したものでも、その外側にキャップ状のカバー材を配したものでも、一方の側縁に他方の側縁を重合させて形成したものでもよく、特にその構成を限定するものではない。
【００２４】
また、本発明は、前記構成の取付部材を用いた外設部材の取付構造をも提案するものであり、外装面を構成する外装材にて形成される凸状部に、前記構成の取付部材を固定し、該取付部材に直接的に外設部材を、或いは支持材を介して間接的に外設部材を取り付けたものである。
【００２５】
前記外設部材としては、太陽電池パネルや緑化パネル（構造）、或いは新設の屋根材（構造）等の屋根面の大きな面積を占めるものであっても、雪止め金具や避雷針、アンテナ等の部分的に設けるものであってもよい。また、太陽電池パネルにおいても、太陽電池モジュールの周縁にフレーム材を配したものも、太陽電池を外装材に一体的に設けたものであってもよくその構成は特に問わない。
【００２６】
外設部材を支持する支持材としては、前記取付部材の取付ボルトに直接的に取り付けてもよいし、所用な補助部材を介して間接的に取り付けてもよい。
この支持材は、特にその形状や構成等を限定するものではないが、後述する図示実施例のように桁行き方向に連続する逆Ｕ字状の長尺材（横桟材）又は定尺材でもよいし、流れ方向に連続する長尺材（縦桟材）又は定尺材でもよい。
【００２７】
また、本発明の外設部材の施工法は、以下に説明する第１〜第３の工程を含む。
第１の工程は、回動自在に枢着した上方部材及び下方部材と取付ボルト材とを一体に組み合わせつつ、上方部材及び下方部材の各当接部を凸状部の基端左右に沿わせる工程である。
第２の工程は、前記取付ボルトに締着ナットを取り付けて締め付けることにより、取付部材を一体化させることで、上方部材及び下方部材を凸状部に係止させ、取付ボルトを上方部材上に起立させる工程である。
第３の工程は、固定した取付部材の取付ボルトの先端に、直接的に外設部材を、或いは支持材を介して間接的に外設部材を取り付け、固定した取付ボルトにナットを取り付けて固定する工程である。
【００２８】
前記第１の工程は、回動自在に枢着した上方部材及び下方部材に、取付ボルトとを一体に組み合わる。前述のように取付ボルトは、下方部材（の収容部）に取り付けられ、上方部材に形成した（横長の）孔を貫通するように組み合わされる。
この状態の取付部材は、上方部材と下方部材が回動自在に組み合わされている状態であって、前述のように外装面を構成する外装材にて形成される凸状部を、上方部材と下方部材で形成される空間に位置させるように配設する。即ち上方部材を凸状部の一方に、下方部材を凸状部の他方に配設し、左右から凸状部を挟むように配設する。
【００２９】
前記第２の工程は、前記取付ボルトに締着ナットを取り付けて締め付けることにより、取付部材を一体化させることで、上方部材及び下方部材を凸状部に係止させ、取付ボルトを上方部材上に起立させる。
即ちこの作業において、本発明における取付部材は、上方部材及び下方部材が回動自在であった状態から、一体的に動けない（固定された）状態となるものであって、取付ボルトを引っ張り上げる作用が働き、上方部材と下方部材とを一体的に固定する。これらの上方部材及び下方部材には、前述のようにそれぞれ凸状部の基端に当接する当接部を設けているので、各当接部が凸状部の基端を左右から挟着する状態となるため、凸状部に係止される状態となる。そして、取付ボルトの頭部は下方部材に当接し、その上端は上方部材上に起立させることができる。
【００３０】
前記第３の工程は、外装面の凸状部に固定された取付部材の取付ボルトの先端に、外設部材を直接的、又は間接的に取り付け、固定した取付ボルトにナットを取り付けて固定するものである。本発明では、前述のように上方部材上に起立させた取付ボルトが存在しているので、該取付ボルトに押さえ材等を配してナットで締め付け固定して外設部材を取り付けることができる。
【００３１】
このように第１〜第３の各工程は、何れも容易に実施できるものであって、全体的に施工性に優れ、実用的価値が高い。
なお、本発明の取付部材を設置する外装面は、前述のように凸状部を備えるものであればよく、新築でも既設でもよい。
【実施例】
【００３２】
図１（ａ）に示す本発明の取付部材１の第１実施例は、凸状部５１の上方及び左右の何れか一方（＝左方）に配する上方部材２と、該上方部材２と回動自在に枢着されて凸状部５１の他方（＝右方）に配される下方部材３と、該下方部材３に取り付けられて前記上方部材２を貫通する取付ボルト１Ｂと、該取付ボルト１Ｂの先端に螺合される締着ナット１Ｃとからなる。上記上方部材２と下方部材３とは、組み合わせ状態が断面略筺状になるように形成され、内部に空間１０が形成される構成である。
【００３３】
前記上方部材２は、前述のように凸状部５１の上方及び左右の何れか一方に配する部材であり、図１（ｂ）に示すように凸状部５１を囲う筺状部分の上面１１に相当する横片２１と、左側面１２に相当する縦片２２と、底面左側１３ａに相当する横片２３とを形成する略逆つ字状のアルミ押出材である。前記上面１１に相当する横片２１には、取付ボルト１Ｂが貫通する横長の孔２１１が設けられている。そして、下方部材３と回動自在に枢着するための軸部１５を形成する凹状の枢支受部２４は、上面右端（横片２１の右端）に位置し、凸状部５１に当接する（底面左側１３ａに相当する）横片２３の先端が当接部２５である。
【００３４】
前記下方部材３は、前述のように凸状部５１の左右の他方に配する部材であり、図１（ｃ）に示すように右側面１４に相当する縦片３１と、底面右側１３ｂに相当する横片３２とを形成する略逆Ｌ字状のアルミ押出材である。そして、取付ボルト１Ｂの頭部が嵌着される凹状の収容部３３が底面右側１３ｂに相当する横片３２の裏面側に形成され、上方部材２と回動自在に枢着するための軸部１５を形成する凸状の枢支部３４は、右側面上端（縦片３１の上端）に位置し、凸状部５１に当接する（底面右側１３ｂに相当する）横片３２の先端が当接部３５である。
【００３５】
前記取付ボルト１Ｂは、図１（ｄ）に示すように下端に頭部１６が位置し、上方に雄ネジ部分１７が位置する六角ボルトである。
また、前記締着ナット１Ｃは、図１（ｅ）に示すように六角ナットである。
【００３６】
そして、これらの部材を図１（ｆ）に示すように一体的に組み合わせるのであるが、上方部材２と下方部材３とは回転自在に枢着されて軸部１５を形成し、下方部材３の収容部３３にその頭部１６を取り付けられた取付ボルト１Ｂの雄ネジ部分１７の先端は、上方部材２に設けた孔２１１を貫通して上方に突出するように組み合わせる。
なお、締着ナット１Ｃは、それを締め付ける作業まで取り外した状態としておくようにしてもよいし、取付ボルト１Ｂの雄ネジ部分１７の先端に緩く取り付けておくようにしてもよい。
【００３７】
なお、図１（ｇ）に示した外装面５上に形成される凸状部５１は、山状部分と谷状部分とが連続する構成の外装面５において、山状部分の頂部に形成されたものであり、タイトフレーム５Ｂ上に固定された吊子５Ｃの起立片に、左右の外装材５Ａ，５Ａの側縁部５２，５２の端部を略垂直状に立ち上げて重合状に沿わせ、カシメて形成したものである。
【００３８】
そして、図１（ｇ）の外装構造を施工するには、以下の第１〜第３の工程を実施すればよい。
まず、第１の工程として、前述の図１（ｆ）のように上方部材２と下方部材３と取付ボルト１Ｂとを予め一体的に組み合わせた状態で、上方部材２と下方部材３で形成される空間１０に位置させるように凸状部５１に配置する。
上方部材２及び下方部材３は、回動自在に枢着されているので、上方部材２を凸状部５１の左側に配設し、当接部２５を凸状部５１の立ち上がり基部に沿わせ、下方部材３を凸状部５１の右側に配設し、当接部３５を凸状部５１の立ち上がり基部に沿わせ、左右から挟むように配設する。
【００３９】
次に、第２の工程として、前記取付ボルト１Ｂに締着ナット１Ｃを取り付けて上方から工具等で締め付ける。この締め付けにより、取付ボルト１Ｂを引っ張り上げる作用が働き、上方部材２と下方部材３とを一体的に固定する。この状態では、各当接部２５，３５が凸状部５１の立ち上がり基部を左右から挟着する状態となるため、上方部材２及び下方部材３が凸状部５１に係止状に取り付けられ、取付ボルト１Ｂが上方部材２上に起立する。
【００４０】
その後、第３の工程として、固定した取付部材１の取付ボルト１Ｂの雄ネジ部分１７の先端に、直接的に外設部材を、或いは支持材を介して間接的に外設部材を取り付け、固定した取付ボルト１Ｂにナット６Ｃを取り付けて固定する。この図示実施例では、取付ボルト１Ｂの雄ネジ部分１７に略筒状のスペーサ６Ｂを取り付け、さらに押さえ部材６Ａを配し、ナット６Ｃを締め付けた状態を示したが、図示しない太陽電池パネル等を配してその端縁をこの押さえ部材６Ａで配する場合などがこの例に相当する。しかもその際に、前記取付部材１の上面１１を太陽電池パネルを安定に載置する支持面として利用することができる。
このように第３の工程では、太陽電池パネル等の外設部材を取付ボルト１Ｂの先端に直接的に取り付けて固定することができる。
【００４１】
図２（ａ）に示す外装構造は、前記第１実施例の取付部材１を異なる外装面５Ｘの凸状部５１ｘに取り付けた例を示すものであり、図２（ｂ）に示す外装構造は、前記第１実施例の取付部材１を左右逆にして異なる外装面５Ｙの凸状部５１ｙに取り付けた例を示すものである。
【００４２】
図２（ａ）に示した外装面５Ｘに形成される凸状部５１ｘは、山状部分と谷状部分とが連続する構成の外装面において、山状部分の頂部に形成されたものであり、図示しない保持部材に嵌合、保持される左右の外装材５Ａ'，５Ａ'の側縁部５２ｘ，５２ｘの端部を略垂直状に立ち上げて重合状に沿わせ、カシメて形成したものである。
図２（ｂ）に示した外装面５Ｙに形成される凸状部５１ｙは、山状部分と谷状部分とが連続する構成の外装面において、山状部分の頂部に形成されたものであり、タイトフレーム５Ｂ"上に固定された吊子５Ｃ"の起立片に、左右の外装材５Ａ"，５Ａ"の側縁部５２ｙ，５２ｙの端部を略垂直状に立ち上げて重合状に沿わせ、カシメて形成したものである。
そして、これらの図２（ａ）の例においても図２（ｂ）の例においても、図面に同一符号を付して説明の重複を避けるが、前記図１（ｇ）の例と同様に凸状部５１ｘ，５１ｙに対して全く同様に前記取付部材１を取り付けることができ、全く同様に押さえ部材６Ａやスペーサ６Ｂ、ナット６Ｃを取り付けることができる。
【００４３】
図３（ａ）に示す本発明の第２実施例の取付部材１'は、凸状部５１の上方及び右方に配する上方部材２'と、該上方部材２'と回動自在に枢着されて凸状部５１の左方に配される下方部材３'とを、断面略筺状になるように組み合わせ、内部に空間１０'が形成される構成である。なお、この図３（ａ）では省略したが、この取付部材１'は、これら上方部材２'及び下方部材３'の他に、六角ボルトである取付ボルト１Ｂと六角ナットである締着ナット１Ｃとからなる構成である。
【００４４】
前記上方部材２'は、凸状部５１を囲う筺状部分の上面（支持面）に相当する横片２１'と、右側面に相当する縦片２２'と、底面右側に相当する横片２３'とを形成する略つ字状のアルミ押出材である。この横片２３'の先端が凸状部５１に当接する当接部２５'である。また、前記横片２１'には、取付ボルト１Ｂが貫通する横長の孔２１１'が設けられ、さらに、この横片２１'の一部を上方へ折り上げた起立片２１２が形成されている。
【００４５】
前記下方部材３'は、凸状部５１を囲う筺状部分の左側面に相当する縦片３１'と、底面左側に相当する横片３２'とを形成する略Ｌ字状のアルミ押出材である。この横片３２'の先端が凸状部５１に当接する当接部３５'である。また、この下方部材３'には、内側へ傾斜状に起立する傾斜片部３６が設けられ、該傾斜片部３６に取付ボルト３Ｂの頭部１６を収容する収容部３３'が設けられている。このように取付ボルト３Ｂの収容部３３'を下方部材３'の上方側に設けることで、支持面の略中央から取付ボルト３Ｂを起立させることができる。その結果、取付部材１'の安定性が増す。さらに、空間１０'内の上方に収容部３３'があるため、空間１０'内に取付ボルト３Ｂが存在しなくなり、外装材の凸状部５１の形状に影響を受けない。
【００４６】
図３（ｂ），（ｃ）は、この第２実施例の取付部材１'を外装面５上に形成される凸状部５１に取り付けた外装構造を示すものであって、前記取付部材１'の下方部材３'を凸状部５１の左側に、右側に上方部材２'を配設する。なお、外装面５に形成される凸状部５１は、前記図１（ｇ）と全く同様であるから、同一符号を付して説明を省略する。
【００４７】
この図３（ｂ），（ｃ）の外装構造を施工するには、以下の第１〜第３の工程を実施すればよい。
まず、第１の工程として、上方部材２'と下方部材３'とを予め一体的に組み合わせた状態で、上方部材２'と下方部材３'で形成される空間１０'に位置させるように凸状部５１に配置する。
上方部材２'及び下方部材３'は、回動自在に枢着されているので、上方部材２'を凸状部５１の左側に配設し、当接部２５'を凸状部５１の立ち上がり基部に沿わせ、下方部材３'を凸状部５１の右側に配設し、当接部３５'を凸状部５１の立ち上がり基部に沿わせ、左右から挟むように配設する。
なお、下方部材３'の収容部３３'に予め一体的に取付ボルト１Ｂを取り付けておくようにしてもよいし、続く第２の工程において取付ボルト１Ｂを取り付けてもよい。
【００４８】
次に、第２の工程として、前記下方部材３'の収容部３３'に取付ボルト１Ｂを取り付け、該取付ボルト１Ｂの雄ネジ部分１７に締着ナット１Ｃを取り付けて上方から工具等で締め付ける。
この締め付けにより、取付ボルト１Ｂを引っ張り上げる作用が働き、上方部材２'と下方部材３'とを一体的に固定することができる。この状態では、各当接部２５'，３５'が凸状部５１の立ち上がり基部を左右から挟着する状態となるため、上方部材２'及び下方部材３'が凸状部５１に係止状に取り付けられ、取付ボルト１Ｂが上方部材２'上に起立する。
【００４９】
その後、第３の工程として、固定した取付部材１'の取付ボルト１Ｂの雄ネジ部分１７の先端に、直接的に外設部材を、或いは支持材を介して間接的に外設部材を取り付け、固定した取付ボルト１Ｂにナット８Ｂを取り付けて固定する。この図示実施例では、外設部材として太陽電池パネル９，９を左右に配設し、取付ボルト１Ｂの雄ネジ部分１７に図３（ｄ）に示す縦長の押さえ部材８を配し、その上からナット８Ｂを締め付けて固定する。
この太陽電池パネル９は、太陽電池セル９０の周囲にフレーム９１を配した構成であり、前記押さえ部材９は、太陽電池パネル９の端縁を押さえる押さえ部９１，９１を有し、左右の縦片９２，９２の下端が前記取付部材１'の上面に着地し、該縦片９２，９２間に前記取付ボルト１Ｂの雄ネジ部分１７が配される構成である。
なお、この取付部材１'には、前述のように横片２１'の一部を上方へ折り上げた起立片２１２が形成されているので、この起立片２１２の端縁に太陽電池パネル１，１を係止状に配設することができ、太陽電池パネル１，１の位置決めに寄与する。
【符号の説明】
【００５０】
１，１'  取付部材
１０，１０'  空間
１１  上面
１２  左側面
１３ａ  底面左側
１３ｂ  底面右側
１４  右側面
１５  軸部
１６  頭部
１７  雄ネジ部分
１Ｂ  取付ボルト
１Ｃ  締着ナット
２，２'  上方部材
２４  枢支受部
２５  当接部
３，３'  下方部材
３３  収容部
３４  枢支部
３５  当接部
５  外装面
５Ａ  外装材
５１  凸状部
５２  側縁部
６Ａ  押さえ部材
６Ｂ  スペーサ
６Ｃ  ナット
７  取付部材（比較例）
７Ａ  持出架台
７Ｂ  取付ボルト
７Ｃ  保持材
７Ｄ  固定具
【図１】
2014190103.tif 000003
【図２】
2014190103.tif 000004
【図３】
2014190103.tif 000005